(57)【要約】【課題】ベンチに腰掛けて履き物を履いたり脱いだりした後に方向を転換するのに立ち上がる必要がなく、方向転換が容易にできる椅子付き手摺を提供するものである。【解決手段】本発明の椅子付き手摺は、基台とこの基台上に設けられた椅子部と基台から上方に向けて延設された手摺部からなり、椅子部の座面が床面との平行面内で回転自在と為されていることを特徴とするものであり、使用者が着座したままで、容易に方向転換することができる。又、基台に椅子部と手摺部が併設されているため、椅子部の座面と手摺部の距離が施工によりばらつくことがなく、好適な間隔を維持することができる。又、座面が基台に設けられているので、座面にかかる荷重が床面に支持され、充分な強度を得ることができる。【選択図】        図１
2006299583.tif 000002
【特許請求の範囲】
【請求項１】
基台とこの基台上に設けられた椅子部と基台から上方に向けて延設された手摺部からなり、椅子部の座面が床面との平行面内で回転自在と為されていることを特徴とする椅子付き手摺。
【請求項２】
基台に支持脚が立設され、この支持脚上に座面が設けられていることを特徴とする請求項１記載の椅子付き手摺。
【請求項３】
椅子部の座面の外周に非回転縁部を設けたことを特徴とする請求項１〜２のいずれか一項に記載の椅子付き手摺。
【発明の詳細な説明】
【技術分野】
【０００１】
本発明は、玄関などの建物の出入り口に設置されて、建物の出入りの時の履き物を履いたり脱いだりする動作を補助する椅子付き手摺に関する。
【背景技術】
【０００２】
【特許文献１】特開２００４−１６２３８号  従来、玄関などの建物の出入り口には、土間と屋内の床面の間に段差が設けられていることが多い。通常この段差は健常者を対象にして、外出や家に戻ったときにこの段差に腰を下ろして靴等の履物を履いたり、脱いだりするのに適した比較的大きな段差に設定されていた。したがって、高齢者や身障者にとってはこの段差を昇り降りをすることが非常に困難であった。そこでその対策として、この段差を低くすることや、その昇り降りを補助するために身体を支える手すりを段差近傍の壁面に設けることが提案されている。しかしながら、このように段差を小さくすると、靴を履いたり脱いだりすることが、高齢者や身障者にとって非常に困難な動作となる。そこで別の対策として、段差は低くして、その代わりに玄関の土間にベンチを設けることが提案されている。
【０００３】
又、特開２００４−１６２３８号には、屋内出入り口の段差を有する上がり框近傍に設けられた手すり付ベンチにおいて、使用者が着座するベンチを構成する座面部材と、上がり框近傍の壁面に固定され、使用者の移動を補助するため鉛直方向に配置された鉛直方向部と、前記鉛直方向部に連続して水平方向に配置された水平部とをもつ手すり部材とからなり、前記座面部材は前記手すり部材に前記水平部で連接されていることを特徴とする手すり付ベンチが提案されている。
【発明の開示】
【発明が解決しようとする課題】
【０００４】
特開２００４−１６２３８号に提案されている手すり付ベンチにおいては、手すり部材は座面部材と連接されて一体的に構成されているので、標準取り付け位置を設定しておけば両者の取り合いが施工方法によってばらつくこともなく、施工が簡単になり施工性やトータルデザイン等も向上し、価格的にも安価にできるものの、ベンチに腰掛けて履き物を履いたり脱いだりした後に方向を転換するのに立ち上がらねばならないという問題があった。
【０００５】
そこで、本発明者は、ベンチに腰掛けて履き物を履いたり脱いだりした後に方向を転換するのに立ち上がる必要がなく、方向転換が容易にできる椅子付き手摺を提供するものである。
【課題を解決するための手段】
【０００６】
本発明請求項１記載の椅子付き手摺は、基台とこの基台上に設けられた椅子部と基台から上方に向けて延設された手摺部からなり、椅子部の座面が床面との平行面内で回転自在と為されていることを特徴とするものであり、使用者が着座したままで、容易に方向転換することができる。又、基台に椅子部と手摺部が併設されているため、椅子部の座面と手摺部の距離が施工によりばらつくことがなく、好適な間隔を維持することができる。又、座面が基台に設けられているので、座面にかかる荷重が床面に支持され、充分な強度を得ることができる。
【０００７】
本発明請求項２記載の椅子付き手摺は、基台に支持脚が立設され、この支持脚上に座面が設けられていることを特徴とする請求項１記載のものであり、支持脚に対して座面を回転させる構造とすることができ、座面の回転構造が複雑にならない。
【０００８】
本発明請求項３記載の椅子付き手摺は、椅子部の座面の外周に非回転縁部を設けたことを特徴とする請求項１〜２のいずれか一項に記載のものであり、使用者が方向転換するときに非回転縁部に手を添えることで姿勢の安定が図れる。
【発明の効果】
【０００９】
本発明請求項１記載の椅子付き手摺は、基台とこの基台上に設けられた椅子部と基台から上方に向けて延設された手摺部からなり、椅子部の座面が床面との平行面内で回転自在と為されていることを特徴とするものであり、使用者が着座したままで、容易に方向転換することができ、手摺部と椅子部が連携して使用者を補助するので、高齢者や身体の虚弱な人にも外出時の助けとなる。又、基台に椅子部と手摺部が併設されているため、椅子部の座面と手摺部の距離が施工によりばらつくことがなく、好適な間隔を維持することができる。又、座面が基台に設けられているので、座面にかかる荷重が床面に支持され、充分な強度を得ることができる。
【００１０】
本発明請求項２記載の椅子付き手摺は、基台に支持脚が立設され、この支持脚上に座面が設けられていることを特徴とする請求項１記載のものであり、支持脚に対して座面を回転させる構造とすることができ、座面の回転構造が複雑にならないので、製作が容易で故障しにくい。
【００１１】
本発明請求項３記載の椅子付き手摺は、椅子部の座面の外周に非回転縁部を設けたことを特徴とする請求項１〜２のいずれか一項に記載のものであり、使用者が方向転換するときに非回転縁部に手を添えることで姿勢の安定が図れるので、使用時の身体の姿勢の安定化が図れ、安心感が増す。
【発明を実施するための最良の形態】
【００１２】
以下、図面を参照しながら本発明に付いて説明する。
図１は本発明椅子付き手摺の実施形態の一例を示す斜視図である。この図に於いては、椅子付き手摺は玄関の室内側床面と土間との境界部に設けられている。
【００１３】
図１に於いて、基台１の中央には支持脚２が立設され、この支持脚２上端に椅子部３が設けられている。基台１の支持脚２の横から手摺部４が設けられている。手摺部４は、椅子部３から離れる方向に湾曲され、椅子部３から適宜距離が離れたところで垂直に立設されている。手摺部４の上部は壁面の方向に湾曲され、手摺部４の上端が端部ブラケット５を介して壁面に固着されている。手摺部４の下部には中間ブラケット６が取り付けられ、この中間ブラケット６の他端が壁面に固着されている。
【００１４】
椅子部３は基台１の中央に立設された支持脚２に非回転縁部３２が固着され、この支持脚２に対して、椅子部３の座面３１が回転自在に取り付けられている。椅子部３の座面３１は、この例では円形であり、この座面３１の全周に亘ってドーナツ形の非回転縁部３２が設けられている。
【００１５】
図２は、本発明椅子付き手摺の椅子部３の座面３１が、基台１に対して回転自在に取り付けられた一例を示す断面図である。図に於いて、支持脚２は下部支持脚２１と上部支持脚２２からなり、下部支持脚２１と上部支持脚２２は螺子により圧着固定されている。上部支持脚２２の上端にはスリーブ２３を介して、座面３１下部中心に設けられた回転軸３３が挿入され、支持脚２内で回転するように為されている。
【００１６】
次ぎに本発明椅子付き手摺の使用方法について図１を基に説明する。椅子付き手摺は前記したように、玄関の室内側床面と土間との境界部に設けられ、使用者が帰宅時はこの椅子部３の座面３１に土間の方向を向いて着座し、靴などの履き物を脱いだ後、手摺が設けられた壁面に背中が向くように９０度回転し手摺部４を持って立ち上がる。又、使用者が室内から屋外へ出るときは、手摺を持ち、手摺側の壁面に背中を向けて椅子部３の座面３１に座り、座ったまま土間の方向に９０度回転し、座った状態で履き物を履き立ち上がる。このように本発明によれば、手摺部４と椅子部３が連携して使用者を補助するので、高齢者や身体の虚弱な人にも外出時の助けとなる。
【００１７】
本発明椅子付き手摺は基台１に椅子部３と手摺部４が併設されているため、椅子部３の座面３１と手摺部４の距離が施工によりばらつくことがなく、好適な間隔を維持することができる。因みに座面３１中心と手摺部４の距離は、使用者の身長や体型にもよるが、２５０〜４００ｍｍが好適であり、３００〜３５０ｍｍが更に好適である。又、手摺部４の鉛直部の床からの高さは座面３１へ座った応対から、立ち上がるまでの一連の動作４００〜１０００ｍｍ程度が必要となる。
【図面の簡単な説明】
【００１８】
【図１】本発明椅子付き手摺の実施形態の一例を示す斜視図である。
【図２】本発明椅子付き手摺の椅子部の座面が、基台に対して回転自在に取り付けられた一例を示す断面図である。
【符号の説明】
【００１９】
１      基台
２      支持脚
２１    下部支持脚
２２    上部支持脚
２３    スリーブ
３      椅子部
３１    座面
３２    非回転縁部
３３    回転軸
４      手摺部
５      端部ブラケット
６      中間ブラケット
【図１】
2006299583.tif 000003
【図２】
2006299583.tif 000004